(57)【要約】【課題】電子機器の記録機器取出構造において、電子機器および記録機器に塵埃が進入して悪影響を与えるのを防止する。【解決手段】図１に示す電子機器１０は、本体１２の上面１４にＰＣカード（記録機器）１００を挿入するスロット１６を有する。このスロット１６は、本体１２の上面１４から本体１２の下部に延在しているとともに、本体１２の側面２０、２２間に延在している。スロット１６の中央部には、主面２４側に湾曲状の切欠２８が形成され、上面１４にはスロット１６に臨む凹部３０が形成されている。この凹部３０には、仮想線で示す、凹部３０と略相補的な形状の防塵部材３２が凹部３０を埋めるように配置されている。スロット１６内のＰＣカード１００を取り出すには、この防塵部材３２を指で押圧して取り出す。【選択図】　　　　　図１
2004145977.tif 000002
【特許請求の範囲】
【請求項１】
記録機器を挿入するスロットが形成された本体を備え、該本体に前記スロットに臨むように形成された、前記記録機器を取り出すための指を挿入する凹部を有する、電子機器の記録機器取出構造において、
前記凹部に、指により押しつぶされることが可能な柔軟性材料で形成された防塵部材が前記凹部を埋めるように配置されてなることを特徴とする電子機器の記録機器取出構造。
【請求項２】
前記防塵部材が弾性エラストマからなるものであることを特徴とする請求項１記載の電子機器の記録機器取出構造。
【請求項３】
記録機器を挿入するスロットを有する、電子機器の記録機器取出構造において、
前記スロットの外側に取り付けられた、柔軟性材料により形成されたカバーを有し、該カバーが、通常は閉じられていて前記記録機器を取り出すときに前記カバーの柔軟性を利用して開くことが可能な開口を有することを特徴とする電子機器の記録機器取出構造。
【請求項４】
前記カバーの前記開口が前記スロットに対応して形成された、通常は閉じていて、前記記録機器の取出時に押し広げることが可能なスリットであることを特徴とする請求項３記載の電子機器の記録機器取出構造。
【請求項５】
前記カバーが、該カバーの前記開口のいずれか一方の側縁に前記開口内に延出して通常は前記開口を閉鎖する、開閉して前記記録機器を取り出すことが可能な蓋を有することを特徴とする請求項３記載の電子機器の記録機器取出構造。
【請求項６】
前記カバーが、該カバーの前記開口の両側縁に、前記開口内に延出して通常は交互に重なるように前記開口を閉鎖する、交互に開いて前記記録機器を取り出すことが可能な二重構造の蓋を有することを特徴とする請求項３記載の電子機器の記録機器取出構造。
【請求項７】
前記カバーが弾性エラストマからなるものであることを特徴とする請求項３から６いずれか１項記載の電子機器の記録機器取出構造。
【発明の詳細な説明】
【０００１】
【発明の属する技術分野】
本発明は、電子機器の記録機器取出構造に関し、特に、電子機器本体のスロットに挿入された平板状の記録機器を取り出すための電子機器の記録機器取出構造に関するものである。
【０００２】
【従来の技術】
従来より、デジタルカメラ等のモバイル機器においては、記録媒体として例えば、図９に概略的に示すような「ｃｌｉｋ！（登録商標）」と呼ばれる超小型の磁気ディスクカートリッジが使用されている。（例えば、非特許文献１参照。）このディスクカートリッジ１は、ノート型パーソナルコンピュータに使用されるタイプＩＩＰＣカード型のｃｌｉｋ！（登録商標）ドライブ１００（図１０）に装填することもできる。このｃｌｉｋ！（登録商標）ドライブ１００は、幅５３ｍｍ、奥行き８５ｍｍ、厚さ５ｍｍの寸法を有しており、ｃｌｉｋ！（登録商標）ディスクを装填した状態で、ノート型パーソナルコンピュータのＰＣカードスロットに装着して、ｃｌｉｋ！（登録商標）ディスクの読み書きを行なうことが可能となっている。
【０００３】
図９は、従来の磁気ディスクカートリッジ１の斜視図を示し、図１０は、図９の磁気ディスクカートリッジ１が挿入されるｃｌｉｋ！（登録商標）ドライブ１００の斜視図である。最初に図９を参照して磁気ディスクカートリッジ１について説明する。この磁気ディスクカートリッジ１は、幅５０ｍｍ、奥行き５５ｍｍ、厚さ１．９５ｍｍの寸法を有している。この磁気ディスクカートリッジ１は、樹脂製のフレーム２と、金属素材（厚さ０．２ｍｍのステンレス鋼板）からなる上シェル（シェル半体）３、下シェル（シェル半体）４とによって構成されたハウジング５と、このハウジング５内に回転自在に収容された４０ＭＢの記憶容量を有する直径４５．７ｍｍ（１．８インチ）の磁気ディスク（ディスク型磁気記録媒体）（図示せず）とを有する。
【０００４】
上記ハウジング５は、このカートリッジ１が装填されるｃｌｉｋ！（登録商標）ドライブ１００内に配置されているディスクドライブ（図示せず）が備えている磁気ヘッドを磁気ディスク９の表面にアクセスさせるための開口６と、この開口６を開閉するロータリーシャッタ７とを備えている。上下シェル３、４は、それらの外周の一部に夫々側壁３ｋ、４ｋを有し、それらの側壁３ｋ、４ｋの縁部をつき合わせて、１０箇所以上の部位Ｐでレーザー溶接されて組み立てられている。
【０００５】
次に、図１０を参照して、ｃｌｉｋ！（登録商標）ドライブ１００について説明する。ｃｌｉｋ！（登録商標）ドライブ１００は、扁平な矩形形状を呈しており、ディスクカートリッジ１が挿入される細長い開口１０２が形成された本体１０４を有する。この本体１０４内には、ディスクカートリッジ１を駆動するモータ（図示せず）およびディスクカートリッジ１の記録再生を行なう前述の磁気ヘッドが配置されている。前述の開口１０２は、本体１０２の後端に形成されており、通常は、ばね付勢されたシャッタ１０６で閉じられている。
【０００６】
ディスクカートリッジ１の挿入時には、ディスクカートリッジ１の先端でシャッタ１０６を押し開いてディスクカートリッジ１を挿入する。ディスクカートリッジ１を収容した本体１０４は、パーソナルコンピュータ（図示せず）のスロットにｃｌｉｋ！（登録商標）ドライブ１００の先端から挿入される。ｃｌｉｋ！（登録商標）ドライブ１００の先端部には、パーソナルコンピュータと電気的に接続するための電気コネクタ１０８が配置されている。
【０００７】
パーソナルコンピュータに使用した場合、このカートリッジ１がｃｌｉｋ！（登録商標）ドライブ１００に装填されると、ロータリーシャッタ７がディスクドライブ中で自動的に拡開され、ディスクドライブの読み出しヘッド（図示せず）が磁気ディスク上に移動してきてデータの記録再生がなされるが、ここでは、その態様の詳細な説明は省略する。
【０００８】
上記のｃｌｉｋ！（登録商標）ドライブ１００用のディスクカートリッジ１の他にも、例えば、タイプＩＩのＰＣカード等に使用される矩形の扁平な形状をしたタイプの磁気ディスクカートリッジがある（例えば、特許文献１参照）。このタイプのディスクカートリッジは、磁気ディスクメディア（ディスク型磁気記録媒体）を収容した長方形の扁平な樹脂製ベースプレートの両側に１組の金属製のカバープレートが配置されて組み立てられている。この他にも、スマートメディア（登録商標）等のカード型記録媒体が知られている。
【０００９】
上記ディスクカートリッジ１等が挿入される電子機器のスロット、或いはＰＣカードが挿入される電子機器のスロットには、ディスクカートリッジ１、或いはＰＣカードの取出を容易にするためのスロットに臨む凹部が形成されていることが一般的である（例えば特許文献２参照）。
【００１０】
【非特許文献１】
大島篤著「パソコン解体新書」、ソフトバンクパブリッシング株式会社、２０００年４月１０日発行（Ｐ５２−５３）
【００１１】
【特許文献１】
特開２００１−２４３７３６号公報（第４−５頁、図３）
【００１２】
【特許文献２】
米国特許第５，６４４，４４４号明細書（第１図）
【００１３】
【発明が解決しようとする課題】
しかしながら、上述のような従来のディスクカートリッジを装填する電子機器における記録媒体の取出構造では、この凹部に塵埃が溜まりやすく、これらの塵埃が、記録媒体内に進入し、或いはｃｌｉｋ！（登録商標）ドライブ１００に付着するとデータの記録再生にエラーを発生したり、作動不良を生じたりするという問題があった。スマートメディア（登録商標）等の半導体メディアの場合は、接続端子に塵埃が付着すると接触不良が発生し、データの記録再生に悪影響を及ぼすことがある。また、電子機器の外部に凹部が形成されていることにより、デザイン上の制約即ち見た目がよくないという美感上の問題があった。
【００１４】
また、取出用の凹部を設けずに、排出用のイジェクトボタンを備えた電子機器もあるが、この場合には取出のための機構が複雑になり、また電子機器が高価になるという問題がある。また、必ず押ボタンが必要になるので、デザイン上の制約即ち設計上の自由度が制約されるという問題もある。
【００１５】
防塵目的のために、スロットに隣接して防塵部材を設けたメモリーカード挿入用の電子機器が知られている。この防塵部材は、フェルト、不織布などで形成されたもので、電子機器の前面パネルの裏面に配置されており、メモリーカード挿入用のスリットを有している。しかし、この例では、材料自体の繊維が脱落してメモリーカードの電気的接続に悪影響を及ぼす虞がある。また、スロットが電子機器の表面にあるので塵埃が溜まりやすいという問題がある。
【００１６】
本発明は、以上の点に鑑みてなされたものであり、電子機器および記録機器に塵埃が付着することによる悪影響を防止する、簡単な構造の電子機器の記録機器取出構造を提供することを目的とするものである。
【００１７】
【課題を解決するための手段】
本発明の電子機器の記録機器取出構造は、記録機器を挿入するスロットが形成された本体を備え、この本体にスロットに臨むように形成された、記録機器を取り出すための指を挿入する凹部を有する、電子機器の記録機器取出構造において、凹部に、指により押しつぶされることが可能な柔軟性材料で形成された防塵部材が凹部を埋めるように配置されてなることを特徴とする。
【００１８】
上記防塵部材は、弾性エラストマから形成することができる。
【００１９】
また、本発明の電子機器の記録機器取出構造は、記録機器を挿入するスロットを有する、電子機器の記録機器取出構造において、スロットの外側に取り付けられた、柔軟性材料により形成されたカバーを有し、カバーが、通常は閉じられていて記録機器を取り出すときにカバーの柔軟性を利用して開くことが可能な開口を有することを特徴とする。
【００２０】
上記カバーの開口は、スロットに対応して形成された、通常は閉じていて、記録機器の取出時に押し広げることが可能なスリットとすることができる。
【００２１】
また、上記カバーは、カバーの開口のいずれか一方の側縁に開口内に延出して通常は開口を閉鎖する、開閉して前記記録機器を取り出すことが可能な蓋を有することができる。
【００２２】
さらに本発明の他の態様においては、上記カバーは、カバーの開口の両側縁に、開口内に延出して通常は交互に重なるように開口を閉鎖する、交互に開いて記録機器を取り出すことが可能な二重構造の蓋を有してもよい。
【００２３】
また、上記カバーは、弾性エラストマからなるものであってもよい。
【００２４】
ここで、記録機器とは、ｃｌｉｋ！（登録商標）、３．５インチ（８８．９ｍｍ）のようなディスクカートリッジ、スマートメディア等の記録カードおよびｃｌｉｋ！（登録商標）を収容するｃｌｉｋ！（登録商標）ドライブ１００のようなディスクドライブ装置を含むＰＣカード等を総括していうものとする。
【００２５】
【発明の効果】
本発明の電子機器の記録機器取出構造によれば、記録機器を挿入するスロットに臨むように形成された指を挿入する凹部に、柔軟性材料で形成された防塵部材が凹部を埋めるように配置されているので、凹部からスロットに塵埃が進入するのが防止されるとともに、防塵部材を指で押圧して簡単に取り出すことができる。従って、電子機器および記録機器に塵埃による悪影響を与えることが防止できる簡単な構造の電子機器の記録機器取出構造とすることができる。
【００２６】
上記防塵部材が、弾性エラストマからなる場合は、防塵部材から繊維等の破片が脱落することがないので、電子機器および記録機器に悪影響を与えない電子機器の記録機器取出構造とすることができる。
【００２７】
また、本発明の電子機器の記録機器取出構造によれば、記録機器を挿入するスロットの外側に取り付けられた、柔軟性材料により形成されたカバーを有する。
このカバーが、通常は閉じられていて記録機器を取り出すときにカバーの柔軟性を利用して開くことが可能な開口を有するので、電子機器内に塵埃が進入する虞が少なく、電子機器および記録機器に悪影響を与えない、電子機器の記録機器取出構造とすることができる。さらにカバー表面に塵埃が溜まるようなスロットがないので、記録機器や電子機器への塵埃による悪影響を一層低減できる。
【００２８】
上記カバーの開口が、スロットに対応して形成された、通常は閉じていて、記録機器の取出時に押し広げることが可能なスリットである場合は、簡単な構造で、塵埃が電子機器内に進入するのを阻止して、電子機器および記録機器に悪影響を与えない、電子機器の記録機器取出構造とすることができる。
【００２９】
また、上記カバーが、カバーの開口のいずれか一方の側縁に開口内に延出して通常は開口を閉鎖する、開閉して前記記録機器を取り出すことが可能な蓋を有する場合は、塵埃が電子機器内に進入するのを阻止して電子機器および記録機器に悪影響を与えない、記録機器の取出が容易且つ簡単な構造の、電子機器の記録機器取出構造とすることができる。
【００３０】
さらに、上記カバーが、カバーの開口の両側縁に、開口内に延出して通常は交互に重なるように開口を閉鎖する、交互に開いて記録機器を取り出すことが可能な二重構造の蓋である場合は塵埃の進入を一層確実に阻止することができ、電子機器および記録機器に悪影響を与えない、電子機器の記録機器取出構造とすることができる。
【００３１】
また、上記カバーが、弾性エラストマからなる場合は、防塵部材から繊維等の破片が脱落することがないので、電子機器および記録機器に悪影響を与えない電子機器の記録機器取出構造とすることができる。
【００３２】
【発明の実施の形態】
以下、本発明の電子機器の記録機器取出構造の好ましい実施の形態について、添付図面を参照して詳細に説明する。
【００３３】
図１は、本発明による記録機器取出構造を有する携帯用の電子機器１０即ち　デジタルカメラの斜視図である。図２は、記録機器を取り除いた図１の電子機器１０の斜視図である。以下、図１および図２を参照して説明する。図１に示す電子機器１０は、箱形の本体１２の上面１４に、前述のｃｌｉｋ！（登録商標）ドライブ（以下、単にＰＣカード（記録機器）という）１００を挿入するスロット１６を有する。このＰＣカード１００には前述の図９に示すディスクカートリッジ１が挿入されており、このＰＣカード１００は撮像した画像データを記録するために使用される。スロット１６は、本体１２の上面１４から本体１２の下部に延在しているとともに、本体１２の側面２０、２２間に延在している。
【００３４】
スロット１６は、一方の主面２４近傍に偏って形成されている。スロット１６の長手方向の中央部には、主面２４側に湾曲状の切欠２８が形成され、上面１４にはスロット１６に臨む、湾曲面を有する凹部３０が形成されている。この凹部３０には、凹部３０に塵埃が溜まるのを防止するための、仮想線で示す防塵部材３２が凹部３０を埋めるように配置されている（図１）。この防塵部材３２の詳細については後述する。
【００３５】
図１に示すように、主面２４と反対側の主面２６には矩形の平坦な凹所３４が形成されている。この凹所３４にディスプレイパネル３６が、ディスプレイ面（図示せず）を内側にして配置されている。このディスプレイパネル３６は支持部３８に連結されており、支持部３８の周りに回動させて本体１２から引き起こすことができるようになっている。この構造の詳細な説明は省略する。なお、４０で示すのは撮像レンズである。
【００３６】
次に、図３を参照して前述の防塵部材３２についてさらに説明する。図３は、防塵部材を示し、図３（ａ）は図１の防塵部材３２の斜視図であり、図３（ｂ）は別の変形例の防塵部材を示す斜視図である。図３（ａ）に示す防塵部材３２は、指先で簡単に押しつぶすことができ、また容易にその形状が復帰できるような軟質弾性材から構成される。この軟質弾性材としては、「ハイトレル（登録商標）」（東レ・デュポン社製）の名称で販売されている熱可塑性ポリエステルエラストマー樹脂が適している。
【００３７】
この材料は、反復使用に耐え、一時的に変形をしても容易に元の形状に復帰でき、射出成型可能で量産性もよいといった特徴を有する。さらに、クリープ性に優れるため、シール材として優れており、防塵効果も高い。また、すべり性に優れているので、ＰＣカードや、カートリッジ等の記録機器を挿入しやすいという効果もある。また、発色性がよく、外観部品に適し、製品を特徴づけるのに効果的である。
【００３８】
また、他の材料としては、ＰＯＲＯＮ（登録商標）（ロジャースイノアック社製）として知られるマイクロセルポリウレタンフォームが好ましい。この材料は、圧縮残留歪みが小さい、即ちへたりが少ない、シール性に優れている等の特徴を有している。
【００３９】
このような弾性材料から形成された防塵部材３２は、凹部３０と略相補形の形状をしており、本体１２の上面１４と略面一になる上部平面４２と、凹部３０の湾曲面と相補的な形状の湾曲面４４と、スロット１６に臨んでスロット１６の内面と略面一になる垂直面４６とから構成される。
【００４０】
この防塵部材３２は、接着等により凹部３０に凹部３０を埋めるように取り付けられる。この結果、凹部３０に塵埃等が進入しても凹部３０内に溜まる余地がなくなるので、防塵性が確保できるとともに、本体の外観上、凹部３０がなくなって上面１４が平坦になることによりデザイン性が向上する。ＰＣカード１００を取り出すときは、防塵部材３２の上部平面４２を指で押して凹ませ、他方の切欠２８（図１、図２）に入れた指との間に、ＰＣカード１００を摘んで取り出せばよい。指で押されて生じた上部平面４２の凹みは簡単に復元するので、外観を損なうことがない。
【００４１】
次に、図３（ｂ）に示す他の防塵部材４８について説明する。この防塵部材４８は、スロット１６に臨む垂直面に、壁５０で画成された穴５２を有する。この穴５２の形状は、防塵部材４８の外形形状と略相補形である。穴５２があることにより、防塵部材４８の柔軟性が向上して、上部平面５４が指で容易に凹む。従って、防塵部材４８を形成する材料は、前述の防塵部材４２ほどの柔軟性を必要とせず、例えばゴム等の比較的硬質の柔軟性材料でもよい。
【００４２】
次に、本発明の第２の実施形態について、図４を参照して説明する。図４は、本発明の第２の実施形態の記録機器取出構造を有する電子機器の斜視図である。
この実施形態の電子機器６０は、本体６２の上部全体に防塵部材（カバー）６４を被せるよう構成されている。即ち本体６２の上部外周には段部６６が形成され、この段部６６にはまるように防塵部材６４が被冠される。防塵部材６４の材質は、第１の実施形態で述べたのと同様な弾性材料である。ＰＣカード１００を挿入するスロット６８には、第１の実施形態と同様な切欠６９と凹部７０が形成されている。
【００４３】
防塵部材６４は、下面に本体６２の、段部６６から上の上部７２を収容する凹所７４を有する。防塵部材６４の上面７６には、スロット６８に対応してスリット（開口）７８が形成されている。このスリット７８は、通常は閉じており、ＰＣカード１００を挿入するときは、そのままＰＣカード１００をスリット７８に押し込んで、スリット７８を押し広げてスロット６８に挿入する。ＰＣカード１００を取り出すときは、図示しない指でスリット７８を押し広げてＰＣカード１００を摘んで取り出せばよい。このスリット７８は、通常閉じた状態にあるので、塵埃等の異物が進入する虞はない。また、外観に大きな凹みもないのでデザイン性を損なうこともない。
【００４４】
次に図５を参照して、本発明の第３の実施形態について説明する。図５は、本発明の第３の実施形態の記録機器取出構造を有する電子機器の斜視図である。電子機器６０の構造、形状は、第２の実施形態と同じであるので詳細な説明は省略する。第３の実施形態が第２の実施形態と異なる点は、防塵部材（カバー）８０の構成である。防塵部材８０は、第２の実施形態と同様に本体６２の上部７２を収容する凹所８２を有し、上面７６にＰＣカード１００を挿入し或いは取り出すための蓋８４を有している。蓋８４は、防塵部材８０の上面８８に一端側に開放する離隔した平行な切込８８ａ、８８ａを入れて形成され、片持梁状に開くことができるようになっている。
【００４５】
この防塵部材８０の詳細について、図６を参照して説明する。図６は、防塵部材８０の構造を本体６２の一部とともに示す電子機器６０の部分断面図であり、図６（ａ）は、蓋が１枚の場合を示し、図６（ｂ）は、蓋が２枚の場合の変形例を示す。なお、蓋が１枚の場合の防塵部材（カバー）を８０ａで示し、蓋が２枚の場合の防塵部材（カバー）を８０ｂで示す。
【００４６】
図６（ａ）に示すように、防塵部材８０ａは、前述の第２の実施形態と同様な材料で形成されており、１枚の蓋８４ａを有する。この蓋８４ａは、その一端を矢印８６で示す方向に持ち上げて開くことができ、これにより、スロット１６を露出させてＰＣカード１００をスロット１６に挿入することができる。
【００４７】
図６（ｂ）に示すように、防塵部材８０ｂが２枚の蓋８４ｂ、８４ｃを有する場合は、下蓋８４ｃがスロット１６を覆って閉鎖し、さらにその上に上蓋８４ｂが覆って２重にスロット１６を閉鎖している。この蓋が２重になった防塵部材８０ｂについて図７を参照して、さらに詳細に説明する。
【００４８】
図７は、防塵部材８０ｂの蓋を開くときの態様を示し、図７（ａ）は、上蓋８４ｂを開く場合の状態を示す防塵部材８０ｂの斜視図、図７（ｂ）は、下蓋８４ｃを開く場合の状態を示す防塵部材８０ｂの斜視図である。上蓋８４ｂは、前述の如く、防塵部材８０の上面８８に一端側に開放する離隔した平行な切込８８ａ、８８ａを入れて形成され、片持梁状に開くことができるようになっている。図７（ｂ）中で仮想線で示すのが、開いたときの上蓋８４ｂの位置である。上蓋８４ｂをこのように開くと、下蓋８４ｃが図７（ｂ）に実線で示すように表れるので、次にこの下蓋８４ｃを仮想線で示すように開くと、前述のスロット１６（図６（ｂ））が露出するので、ＰＣカード１００を挿入し、或いは挿入されているＰＣカード１００を取り出すことができる。
【００４９】
このように蓋が２重構造の場合は、スロット１６を一層確実に閉鎖することができるので防塵性は向上する。なお、この２重蓋の型式の防塵部材８０ｂの場合は、ＰＣカード１００を挿入するときは上蓋８４ｂだけ持ち上げて押し込めば、下蓋８４ｃを撓めて簡単にスロット１６に挿入することができる。
【００５０】
次に、この２重蓋の防塵性をさらに向上させるための構造について、図８を参照して説明する。図８は、防塵部材８０ｂの変形例を示す斜視図である。この防塵部材（カバー）８０ｃは、前述の２重蓋を有する防塵部材８０ｂと類似の構成であるが、上蓋８４ｂ′の内面に断面形状が、円形や三角形の潰れやすいパッキン９０を下蓋８４ｃ′に当接するように設けた点が相違する。このパッキン９０によりさらに防塵性が向上する。
【００５１】
以上、本発明の電子機器の記録機器取出構造について詳細に説明したが、上記実施形態は例示的なものであり、これらに限定されるものではない。例えば、凹部３０はスロットを設ける位置によっては、スロットの片側の他、両側に設けてもよいことは勿論であり、この場合防塵部材４２および／または５４はスロットの両側の凹部３０に配置される。
【図面の簡単な説明】
【図１】本発明による記録機器取出構造を有する電子機器の斜視図
【図２】記録機器を取り除いた図１の電子機器の斜視図
【図３】本発明の記録機器取出構造に使用される防塵部材を示し、（ａ）は図１の防塵部材の斜視図であり、（ｂ）は別の変形例の防塵部材を示す斜視図である。
【図４】本発明の第２の実施形態の記録機器取出構造を有する電子機器の斜視図
【図５】本発明の第３の実施形態の記録機器取出構造を有する電子機器の斜視図
【図６】防塵部材の構造を本体の一部とともに示す電子機器の部分断面図であり、（ａ）は、蓋が１枚の場合を示し、（ｂ）は、蓋が２枚の場合を示す。
【図７】防塵部材の蓋を開くときの態様を示し、（ａ）は、上蓋を開く場合の状態を示す防塵部材の斜視図、（ｂ）は、下蓋を開く場合の状態を示す防塵部材の斜視図
【図８】防塵部材の変形例を示す斜視図
【図９】従来の磁気ディスクカートリッジの斜視図
【図１０】図９の磁気ディスクカートリッジが挿入されるｃｌｉｋ！（登録商標）ドライブの斜視図
【符号の説明】
１　　ディスクカートリッジ（記録機器）
１２、６２　　本体
１６、６８　　スロット
３０、７０　　凹部
３２、４８　　防塵部材
６４、８０、８０ａ、８０ｂ、８０ｃ　　防塵部材（カバー）
６０　　電子機器
７８　　開口（スリット）
８４、８４ａ、８４ｂ、８４ｂ′、８４ｃ、８４ｃ′　蓋
１００　　ＰＣカード
【図１】
2004145977.tif 000003
【図２】
2004145977.tif 000004
【図３】
2004145977.tif 000005
【図４】
2004145977.tif 000006
【図５】
2004145977.tif 000007
【図６】
2004145977.tif 000008
【図７】
2004145977.tif 000009
【図８】
2004145977.tif 000010
【図９】
2004145977.tif 000011
【図１０】
2004145977.tif 000012